【事件の表示】
　特願２０１５−８５６２８号「遊技機」拒絶査定不服審判事件〔平成２７年８月２７日出願公開、特開２０１５−１５４９６３号〕について、次のとおり審決する。
【結　論】
　本件審判の請求は、成り立たない。
【理　由】
第１　手続の経緯　
　本願は、平成２５年１０月３１日に出願した特願２０１３−２２６６７１号の一部を平成２７年４月９日に新たな特許出願（特願２０１５−８００９１号）とし、さらにその一部を同年４月２０日に新たな特許出願（特願２０１５−８５６２８号）としたものであって、平成２８年１０月１７日に手続補正書が提出され、平成２９年８月２３日付けで拒絶の理由が通知され、同年１０月１２日に意見書及び手続補正書が提出され、平成３０年３月２３日付けで最後の拒絶の理由が通知され、同年５月１７日に意見書及び手続補正書が提出されたところ、同年９月２６日付けで、同年５月１７日付け手続補正が却下されるとともに拒絶査定がなされ、それに対して、同年１２月２５日に拒絶査定不服審判の請求がなされると同時に手続補正がなされたものである。
第２　平成３０年１２月２５日付けの手続補正についての補正の却下の決定　
［補正の却下の決定の結論］　
　平成３０年１２月２５日付けの手続補正（以下「本件補正」という。）を却下する。　
［理由］　
１　本件補正について（補正の内容）　
　本件補正は特許請求の範囲の請求項１の記載の補正を含むものであり、本件補正前の平成２９年１０月１２日にされた手続補正の特許請求の範囲の請求項１の記載と本件補正後の特許請求の範囲の請求項１の記載は、それぞれ以下のとおりである（下線部は補正箇所を示す。また、Ａ〜Ｋについては発明を分説するため当審で付与した。）。　
（本件補正前）　
「【請求項１】
Ａ　当否判定条件の成立に起因して遊技の当否判定を行う当否判定手段と、
Ｂ　複数種類の図柄を一列に並べてなる図柄列を複数平行に配列して表示すると共に、それら複数の図柄列を横切るように有効ラインが予め設定された図柄表示部と、
Ｃ　前記複数の図柄列をスクロールした後、停止して、前記有効ライン上で停止が確定した前記図柄群の組合せが、予め設定された当り図柄組合せであるか否かにより前記当否判定の結果を報知する報知演出実行手段と、
Ｄ　遊技者が任意に操作可能な任意操作部と、
Ｅ　前記当り図柄組合せの図柄群を前記有効ラインからずれた待機位置に仮停止した後、前記任意操作部の操作に応じて前記仮停止を解除して前記有効ライン上まで移動し、前記当り図柄組合せの図柄群で停止を確定させる再始動演出実行手段と、
Ｆ　を備えたことを特徴とする遊技機。」
（本件補正後）
「【請求項１】
Ａ　当否判定条件の成立に起因して遊技の当否判定を行う当否判定手段と、
Ｂ　複数種類の図柄を一列に並べてなる図柄列を複数平行に配列して表示すると共に、それら複数の図柄列を横切るように有効ラインが予め設定された図柄表示部と、
Ｃ　前記複数の図柄列をスクロールした後、停止して、前記有効ライン上で停止が確定した前記図柄群の組合せが、予め設定された当り図柄組合せであるか否かにより前記当否判定の結果を報知する報知演出実行手段と、
Ｄ　遊技者が任意に操作可能な任意操作部と、
Ｅ　前記当り図柄組合せの図柄群
が前記有効ラインまでの距離が一致しない
前記当り図柄組合せの図柄群が
Ｆ　を備えたことを特徴とする遊技機。」　
２　補正の適否　　　
　本件補正は、補正前の請求項１に記載された発明特定事項である「Ｅ　前記当り図柄組合せの図柄群を前記有効ラインからずれた待機位置に仮停止した後」を、「Ｅ　前記当り図柄組合せの図柄群
が前記有効ラインまでの距離が一致しない
　なお、補正前の請求項１に記載された発明特定事項であるＥの「前記有効ライン上まで移動し」の直前に「
前記当り図柄組み合わせの図柄群が
　そして、補正前の請求項１に記載された発明と補正後の請求項１に記載される発明とは、産業上の利用分野及び解決しようとする課題が同一である。
　そうすると、本件補正は、特許法第１７条の２第５項第２号に規定する「特許請求の範囲の減縮」を目的とするものに該当する。
　また、本件補正は、本願の願書に最初に添付した明細書の段落【０１２２】〜【０１２６】及び図２８の記載に基づいており、新規事項を追加するものではないから、特許法第１７条の２第３項に規定する要件を満たす。
　そこで、本件補正後の請求項１に記載されている事項により特定される発明（以下「本願補正発明」という。）が特許法第１７条の２第６項において準用する同法第１２６条第７項の規定に適合するか（特許出願の際独立して特許を受けることができるものであるか）について、以下、検討する。　
（１）本願補正発明　
　本願補正発明は、前記１（本件補正後）に記載したとおりのものである。
　ここで、構成Ｅの「前記当り図柄組合せの図柄群
が前記有効ラインまでの距離が一致しない
前記当り図柄組合せの図柄群が
　また、請求人は審判請求書において明細書の段落【０１２２】〜【０１２６】及び図２８を構成Ｅに関する補正の根拠としていることから、段落【０１２５】の記載を基に上記の解釈を行うことは妥当であると思料する。
（２）引用文献に記載された事項　
ア　原査定の拒絶の理由で引用された本願の出願遡及日前に頒布された又は電気通信回線を通じて公衆に利用可能となった文献である特開２００４−１０５２９５号公報（以下「引用文献１」という。）には、図面と共に次の事項が記載されている（下線は当審で付した。）。　
「【０００２】
【従来の技術】
一般に、図柄を可変表示する図柄表示装置を備えたパチンコ遊技機、スロットマシン等の遊技機においては、
予め設定した有効ライン
「【００３３】
【発明の実施の形態】
以下、パチンコ遊技機（以下、単に「パチンコ機」という）の一実施の形態を、図面に基づいて詳細に説明する。図１は
パチンコ機１
「【００４０】
主図柄としては、本実施の形態では、図５に示すように、
（１）犬種「ボストン・テリア」に数字「１」を付した主図柄、（２）犬種「ピーグル」に数字「２」を付した主図柄、（３）犬種「ポメラニアン」に数字「３」を付した主図柄、（４）犬種「パグ」に数字「４」を付した主図柄、（５）犬種「キャバリア」に数字「５」を付した主図柄、（６）犬種「ウェルシュ・コーギー」に数字「６」を付した主図柄、（７）犬種「ヨークシャ・テリア」に数字「７」を付した主図柄、（８）犬種「シー・ズー」に数字「８」を付した主図柄、（９）犬種「パピヨン」に数字「９」を付した主図柄
数字
各主図柄の間にハートからなる副図柄が配されて一連の図柄
【００４１】
より詳しくは、
上段Ｕにおいて
一連の図柄が降順
主図柄の番号が減る順
に表示
中段Ｍ及び下段Ｌにおいて
同じく
一連の図柄が昇順
主図柄の番号が増える順
に表示
上段Ｕ→下段Ｌ→中段Ｍの順に変動表示が停止し、その停止時に特別図柄表示装置２２上の有効ライン、すなわち縦左ラインＬ１、縦中ラインＬ２、縦右ラインＬ３、右上がりラインＬ４、左上がりラインＬ５の何れかのラインで主図柄が当り図柄の組合せ
で揃えば大当り
「【００５１】
次に、上記の如く構成されたパチンコ機１の動作について説明する。図６は、
メイン制御装置４０のＣＰＵ４１
「【００６０】
次に、図７に示す始動入賞処理において、ＣＰＵ４１は、先ずステップＳ１０１で遊技球が作動チャッカー１７に入賞したか否かを判定する。この判定は、特別図柄始動スイッチ５２がオンとされたか否かによって行われる。
遊技球が作動チャッカー１７に入賞し
【００６１】
保留球数Ｎが４未満であれば
保留球数Ｎを１インクリメント
【００６２】
その後、ステップＳ１０６で保留球数Ｎが値０より大きいか否かを判定すると共に、ステップＳ１０７で特別図柄表示装置２２で上段Ｕ，中段Ｍ，下段Ｌの図柄を変動表示中であるか否か、或いは大当り中であるか否かを判定する。
保留球数Ｎが値０でなく、特別図柄表示装置２２が変動表示中或いは大当り中でもなければ
【００６３】
図８に示す
変動開始処理
【００６４】
次に、ステップＳ２０５では、
表示コマンド
決定
処理
表示用制御装置６０
変動パターンコマンドに従って特別図柄表示装置２２の上段Ｕ、中段Ｍ、下段Ｌの各図柄列を変動表示する
上段Ｕ、中段Ｍ、下段Ｌの各図柄列の変動表示を停止する
表示コマンド決定処理
「【００６６】
変動時間が終了していれば、ステップＳ３０３に進み、変動の停止と確認のために設定されている停止図柄を確定コマンドとして表示用制御装置６０に送信する。また、ステップＳ３０４では、今回の停止図柄が大当り図柄であるか否かを判定し、大当りであればステップＳ３０５に進み、大当り実行コマンドを表示用制御装置６０などに送信し、本ルーチンを終了する。大当り実行コマンドを受信した
表示用制御装置６０は、停止図柄表示
【００６７】
ここで、上記図８のステップＳ２０５における
表示コマンド決定処理
大当りか否かを判定する
「【００７９】
図１６の（ａ）は、特別図柄表示装置２２において上段Ｕ、下段Ｌ、中段Ｍの各図柄が一旦停止した状況を示しているが、ここでは、特別図柄表示装置２２における上記５つの
有効ライン
Ｌ１〜Ｌ５
有効ライン以外の仮想ラインである
縦右ラインＬ３よりも右側のラインＬＸ
「７」
全図柄の一旦停止時に有効ライン以外であって主図柄の数字部分が視認できるライン上に同じ主図柄が揃っている状態
から各図柄が一斉に再変動を開始する
そして
再変動の後
前記有効ライン以外のラインで揃っていた主図柄が有効ライン
Ｌ２
上で揃った状態になって各図柄が停止し確定する
あたかも、有効ライン以外のラインで一旦揃った主図柄が有効ライン内に移動してくるように図柄が変動表示される
これにより、大当りの状態となる
「【００９１】
（ｄ）上記実施の形態では、特別図柄表示装置２２における図柄列の変動方向が横方向とされ、有効ラインが縦３ラインと斜め２ラインの計５ラインとしたものについて例示したが、図柄列の変動方向が上下方向とされ、有効ラインが横３ラインと斜め２ラインの計５ラインとしたものについて適用してもよい。」
「【００９４】
（ｅ）上記実施の形態では、「パターンＥ」において一旦仮想ライン上に大当り図柄が停止した後、再変動し、所定時間経過後に有効ライン上にその大当り図柄が停止し確定するものについて説明したが、
再変動後に有効ライン上に停止するまでを一瞬で行うようにしてもよい
　上記記載事項を総合すれば、引用文献１には以下の発明（以下、「引用発明１」という。）が記載されているものと認められる（ａ〜ｆについては本願補正発明のＡ〜Ｆに対応させて付与した。）。
「ａ　遊技球が作動チャッカー１７に入賞し（【００６０】）、保留球数Ｎが４未満であれば保留球数Ｎを１インクリメントし（【００６１】）、保留球数Ｎが値０でなく、特別図柄表示装置２２が変動表示中或いは大当り中でもなければ（【００６２】）、変動開始処理（【００６３】）の表示コマンド決定処理（【００６４】）で大当りか否かを判定するメイン制御装置４０のＣＰＵ４１（【００５１】、【００６７】）と、
ｂ　上段Ｕにおいて、各犬種に数字１〜９を付した各主図柄の間にハートからなる副図柄が配された一連の図柄を主図柄の番号が減る降順に表示し、また、中段Ｍ及び下段Ｌにおいて、同じく一連の図柄を主図柄の番号が増える昇順に表示する（【００４０】、【００４１】）と共に、有効ライン、すなわち縦左ラインＬ１、縦中ラインＬ２、縦右ラインＬ３、右上がりラインＬ４、左上がりラインＬ５（【００４１】）が予め設定された（【０００２】）特別図柄表示装置２２と、
ｃ　特別図柄表示装置２２の上段Ｕ、中段Ｍ、下段Ｌの各図柄列を変動表示した後、上段Ｕ→下段Ｌ→中段Ｍの順に変動表示を停止し、その停止時に特別図柄表示装置２２上の有効ライン、すなわち縦左ラインＬ１、縦中ラインＬ２、縦右ラインＬ３、右上がりラインＬ４、左上がりラインＬ５の何れかのラインで主図柄が当り図柄の組合せで揃えば大当りとなる停止図柄を表示する表示用制御装置６０（【００４１】、【００６４】、【００６６】）と、
ｅ　全図柄の一旦停止時に有効ラインである縦右ラインＬ３よりも右側の主図柄の数字部分が視認できる有効ライン以外の仮想ラインＬＸ上に同じ主図柄「７」が揃っている状態から各図柄が一斉に再変動を開始し、そして、再変動の後、前記有効ライン以外の仮想ラインＬＸで揃っていた主図柄「７」が有効ラインである縦中ラインＬ２上で揃った状態になって各図柄が停止し確定し、あたかも、有効ライン以外の仮想ラインＬＸで一旦揃った主図柄「７」が有効ラインである縦中ラインＬ２内に移動してくるように図柄が変動表示されることにより、大当りの状態となるようにする前記表示用制御装置６０（【００４１】、【００６４】、【００７９】、【００９４】）と、
ｆ　を備えたパチンコ機１（【００３３】）。」
イ　原査定の拒絶の理由で引用された本願の出願遡及日前に頒布された又は電気通信回線を通じて公衆に利用可能となった文献である特開２００９−１３６３４２号公報（以下「引用文献２」という。）には、図面と共に次の事項が記載されている（下線は当審で付した。）。　
「【００２８】
　まず、図１〜図４を用いて遊技機の一例である
パチンコ遊技機１
「【００４３】
　また、
回転操作部８１２
左周りに回転する左回転操作と、右周りに回転させる右回転操作とを遊技者が任意に行なうことが可能
「【０３２２】
　ステップＳ７５７では、実行中のプロセスデータに基づいて、回転操作要求期間の終了後であるか否かを判断する。回転操作要求期間の終了後ではないと判断したときは、処理を終了する。一方、回転操作要求期間の終了後であると判断したときは、ステップＳ８１６で読み出した変動パターンコマンドによって所定のチャンス目で飾り図柄を停止させることが示されているか否かを判断する（ステップＳ７５８）。具体的には、本実施の形態では、ステップＳ８１６で読み出した
変動パターンコマンドが「操作演出有変動Ｃ」、「操作演出有変動Ｄ」、「突確（操作演出有）」、「スーパーリーチＡ」または「スーパーリーチＢ」である場合に
所定のチャンス目で飾り図柄を停止させる
「【０４４５】
　図７４および図７５は、本実施の形態において演出表示装置９に表示される演出画面の遷移を示す説明図である。演出表示装置９に飾り図柄の停止図柄が表示されている状態で（図７４（ａ））、始動入賞口１３，１４に遊技球が入賞すると、演出制御用ＣＰＵ１０１は、演出表示装置９の変動表示部に、飾り図柄が可変表示させる（図７４（ｂ））。そして、変動パターンが操作演出を実行する変動パターンである場合に（ステップＳ８３０のＹ）、演出制御用ＣＰＵ１０１は、ステップＳ８３１Ａで決定した仮停止図柄を演出表示装置９に表示し（図７４（ｃ））、回転操作部８１２の回転操作を説明する画面を表示する（ステップＳ７５４、図７４（ｄ））。図７４（ｃ）に示す例では、
各変動表示部の下段に「３」「５」「７」が仮停止状態で表示されている
【０４４６】
　そして、演出制御用ＣＰＵ１０１は、回転操作要求期間が終了するとき、または遊技者による決定操作（図４３のステップＳ６７１，Ｓ６７２参照）がなされるときまで、
遊技者によって操作部８１になされた回転操作に従って飾り図柄を移動させる
【０４４７】
　演出制御用ＣＰＵ１０１は、ステップＳ８１６で読み出した変動パターンコマンドが「突確（操作演出有）」（図２６参照）である場合に、所定の
チャンス目
「７」「５」「３」が上段に直線上に並んでいる画面を表示させる
「【０４５５】
　以上に述べたように、本実施の形態によれば、遊技者による操作部８１の操作方向に応じて飾り図柄を移動させることができ、飾り図柄が所定の表示位置まで移動された場合に特定演出が実行され、遊技興趣を向上させることができる。また、第１移動態様と第２移動態様との異なる移動態様で飾り図柄を移動させ、遊技興趣を向上させることができる。また、遊技者による操作部８１の回転操作に応じて飾り図柄を移動させ、遊技興趣を向上させることができる。また、回転操作の速度に応じて飾り図柄の移動速度を異ならせることができる。従って、遊技者による操作態様に応じた演出が実行され、遊技興趣を向上させることができる。また、
下段の飾り図柄の組み合わせを、遊技者による回転操作に応じて異なる有効ラインである上段に移動させて、遊技興趣を向上させることができる
　段落【０３２２】の記載と図２６の使用時と変動パターンの種類との組み合わせ、すなわち、確変大当り時の操作演出有変動Ｃ、はずれ／確変大当り時のスーパーリーチＡ（操作演出有）、はずれ／通常／確変大当り時のスーパーリーチＢ（操作演出有）、突然確変当り時の突確（操作演出有）、はずれ／通常／確変大当り時の操作演出有変動Ｄ等を参照すれば、
チャンス目は確変や大当りへの遊技者の期待感を高める
　上記記載事項及び認定事項を総合すれば、引用文献２には以下の発明（以下、「引用発明２」という。）が記載されているものと認められる（ｄ〜ｆについては本願補正発明のＤ〜Ｆに対応させて付与した。）。
「ｄ　左周りに回転する左回転操作と、右周りに回転させる右回転操作とを遊技者が任意に行なうことが可能回転操作部８１２を備え（【００４３】）、
ｅ　各変動表示部の下段に「３」「５」「７」が仮停止状態で表示されているときに、遊技者によって操作部８１になされた回転操作に従って飾り図柄を移動させ、「７」「５」「３」が上段に直線上に並ぶ確変や大当りへの遊技者の期待感を高めるチャンス目を画面を表示させ（【０４４５】〜【０４４７】）、下段の飾り図柄の組み合わせを、遊技者による回転操作に応じて異なる有効ラインである上段に移動させて、遊技興趣を向上させることができる（【０４５５】）
ｆ　パチンコ遊技機１（【００２８】）。」
ウ　本願の出願遡及日前に頒布された又は電気通信回線を通じて公衆に利用可能となった文献である特開２００９−１７２２７８号公報（以下「引用文献３」という。）には、図面と共に次の事項が記載されている（下線は当審で付した。）。　
「【００２４】
実施の形態１．
　以下、本発明の実施の形態を、図面を参照して説明する。まず、遊技機の一例である
パチンコ遊技機１
「【０１３４】
　図１５は、飾り図柄の大当り図柄を示す説明図である。図１５に示すように、大当り図柄は、「左」、「中」、「右」の飾り図柄（「☆」の図柄を除く。）の組み合わせが有効ライン上において同一図柄で揃った状態になっている飾り図柄の組み合わせである。
有効ラインとして、上段の横方向のライン、中段の横方向のライン、下段の横方向のライン、左上から右下に向かう斜め方向のライン、および右上から左下に向かう斜め方向のラインの計５ラインある
「【０１３６】
　図１６は、チャンス目のうち、第１チャンス目枠内および第１チャンス目枠外を示す説明図である。図１６（Ａ）には、第１チャンス目枠内が示され、図１６（Ｂ）には、第１チャンス目枠外が示されている。なお、図１６において、実際には空白の部分には☆が表示されているが、図１６では、☆は記載省略されている。また、図１６において、９個の飾り図柄が示されている（☆は記載省略）それぞれの四角形は、演出表示装置９の略円形の表示画面における左中右の飾り図柄が表示されている部分を示す。なお、「第１チャンス目枠内」を「第１チャンス目（枠内）」と表記し、「第１チャンス目枠外」を「第１チャンス目（枠外）」と表記することがある。また、「第１チャンス目枠内」と「第１チャンス目枠外」とを「第１チャンス目」と総称することがある。」
「【０１３８】
　
第１チャンス目枠外
中図柄および右図柄が１図柄
分逆変動（下から上への変動）すると
段において大当り図柄になるような飾り図柄の組み合わせである
下段の下側において
一部が視認可能
「【０１５２】
　また、この実施の形態では、第１チャンス目枠外が仮停止表示された場合にも、中右の飾り図柄は再変動してから、大当り図柄が導出表示される（最終停止する）が、
第１チャンス目枠外が仮停止表示された後に
演出表示装置９の表示画面において中右の飾り図柄が一挙に上がるような表示演出を行うことによって、大当り図柄を導出表示する
　上記記載事項を総合すれば、引用文献３には以下の発明（以下、「引用発明３」という。）が記載されているものと認められる（ｅ〜ｆについては本願補正発明のＥ〜Ｆに対応させて付与した。）。
「ｅ　有効ラインとして、上段の横方向のライン、中段の横方向のライン、下段の横方向のライン、左上から右下に向かう斜め方向のライン、および右上から左下に向かう斜め方向のラインの計５ラインを有し（【０１３４】）、下段の下側において一部が視認可能な中図柄および右図柄が１図柄分逆変動（下から上への変動）すると、下段において大当り図柄になるような飾り図柄の組み合わせである第１チャンス目枠外が仮停止表示された後に、演出表示装置９の表示画面において中右の飾り図柄が一挙に上がるような表示演出を行うことによって、大当り図柄を導出表示する（【０１３８】、【０１５２】）
ｆ　パチンコ遊技機１（【００２４】）。」
（３）対比・判断　
ア　対比
　本願補正発明と引用発明１とを対比する。なお、見出し（ａ）〜（ｆ）は、本願補正発明のＡ〜Ｆに対応させている。
　
（ａ）引用発明１の「ａ　遊技球が作動チャッカー１７に入賞し、保留球数Ｎが４未満であれば保留球数Ｎを１インクリメントし、保留球数Ｎが値０でなく、特別図柄表示装置２２が変動表示中或いは大当り中でもな」いことは、本願補正発明の「Ａ　当否判定条件の成立」に相当する。
　したがって、引用発明１の「ａ　遊技球が作動チャッカー１７に入賞し、保留球数Ｎが４未満であれば保留球数Ｎを１インクリメントし、保留球数Ｎが値０でなく、特別図柄表示装置２２が変動表示中或いは大当り中でもなければ、変動開始処理の表示コマンド決定処理で大当りか否かを判定するメイン制御装置４０のＣＰＵ４１」は、本願補正発明の「Ａ　当否判定条件の成立に起因して遊技の当否判定を行う当否判定手段」に相当する。
（ｂ）引用発明１の「ｂ　上段Ｕにおいて、各犬種に数字１〜９を付した各主図柄の間にハートからなる副図柄が配された一連の図柄を主図柄の番号が減る降順に表示し、また、中段Ｍ及び下段Ｌにおいて、同じく一連の図柄を主図柄の番号が増える昇順に表示すると共に、有効ライン、すなわち縦左ラインＬ１、縦中ラインＬ２、縦右ラインＬ３、右上がりラインＬ４、左上がりラインＬ５が予め設定された特別図柄表示装置２２」は、有効ラインが上段Ｕ、中段Ｍ及び下段Ｌに表示される一連の図柄を横切ることは明らかであるから、本願補正発明の「Ｂ　複数種類の図柄を一列に並べてなる図柄列を複数平行に配列して表示すると共に、それら複数の図柄列を横切るように有効ラインが予め設定された図柄表示部」に相当する。
（ｃ）引用発明１の「ｃ　特別図柄表示装置２２の上段Ｕ、中段Ｍ、下段Ｌの各図柄列を変動表示した後、上段Ｕ→下段Ｌ→中段Ｍの順に変動表示を停止し、その停止時に特別図柄表示装置２２上の有効ライン、すなわち縦左ラインＬ１、縦中ラインＬ２、縦右ラインＬ３、右上がりラインＬ４、左上がりラインＬ５の何れかのラインで主図柄が当り図柄の組合せで揃えば大当りとなる停止図柄を表示する表示用制御装置６０」は、本願補正発明の「Ｃ　前記複数の図柄列をスクロールした後、停止して、前記有効ライン上で停止が確定した前記図柄群の組合せが、予め設定された当り図柄組合せであるか否かにより前記当否判定の結果を報知する報知演出実行手段」に相当する。
（ｅ）引用発明１の「ｅ　全図柄の一旦停止時に有効ラインである縦右ラインＬ３よりも右側の主図柄の数字部分が視認できる有効ライン以外の仮想ラインＬＸ上に同じ主図柄「７」が揃っている状態から各図柄が一斉に再変動を開始し、そして、再変動の後、前記有効ライン以外の仮想ラインＬＸで揃っていた主図柄「７」が有効ラインである縦中ラインＬ２上で揃った状態になって各図柄が停止し確定し、あたかも、有効ライン以外の仮想ラインＬＸで一旦揃った主図柄が有効ラインである縦中ラインＬ２内に移動してくるように図柄が変動表示されることにより、大当りの状態となるようにする前記表示用制御装置６０」は、本願補正発明の「Ｅ　前記当り図柄組合せの図柄群が前記有効ラインまでの距離が一致しない待機位置に仮停止した後、前記任意操作部の操作に応じて前記仮停止を解除して前記当り図柄組合せの図柄群が前記有効ライン上まで移動し、前記当り図柄組合せの図柄群で停止を確定させる再始動演出実行手段」とは、「Ｅ’前記当り図柄組合せの図柄群が前記有効ラインからずれた待機位置に仮停止した後、前記仮停止を解除して前記当り図柄組合せの図柄群が前記有効ライン上まで移動し、前記当り図柄組合せの図柄群で停止を確定させる再始動演出実行手段」の点で共通する。
（ｆ）引用発明１のｆの「パチンコ機１」は、本願補正発明のＦの「遊技機」に相当する。
　してみると、本願補正発明と引用発明１とは、
「Ａ　当否判定条件の成立に起因して遊技の当否判定を行う当否判定手段と、
Ｂ　複数種類の図柄を一列に並べてなる図柄列を複数平行に配列して表示すると共に、それら複数の図柄列を横切るように有効ラインが予め設定された図柄表示部と、
Ｃ　前記複数の図柄列をスクロールした後、停止して、前記有効ライン上で停止が確定した前記図柄群の組合せが、予め設定された当り図柄組合せであるか否かにより前記当否判定の結果を報知する報知演出実行手段と、
Ｅ’前記当り図柄組合せの図柄群が有効ラインからずれた待機位置に仮停止した後、前記仮停止を解除して前記当り図柄組合せの図柄群が前記有効ライン上まで移動し、前記当り図柄組合せの図柄群で停止を確定させる再始動演出実行手段と、
Ｆ　を備えたことを特徴とする遊技機。」
である点で一致し、次の点で相違する。
（相違点１）
　本願補正発明は「Ｄ　遊技者が任意に操作可能な任意操作部」を備えるのに対し、引用発明１はそのようなものではない点。
（相違点２）
　「Ｅ’前記当り図柄組合せの図柄群が前記有効ラインからずれた待機位置に仮停止した後、前記仮停止を解除して前記当り図柄組合せの図柄群が前記有効ライン上まで移動」するのが、本願補正発明は「前記任意操作部の操作に応じて」行われるのに対し、引用発明１はそのようなものではない点。
（相違点３）
　「Ｅ’前記当り図柄組合せの図柄群が」「仮停止」する「前記有効ラインからずれた待機位置」が、本願補正発明は「前記有効ラインまでの距離が一致しない」ものであるのに対し、引用発明１はそのようなものではない点。
イ　判断
（相違点１及び２について）
　引用発明２の「ｄ　左周りに回転する左回転操作と、右周りに回転させる右回転操作とを遊技者が任意に行なうことが可能回転操作部８１２」は、相違点１に係る本願補正発明の「Ｄ　遊技者が任意に操作可能な任意操作部」に相当する。
　また、引用発明２の「ｅ　各変動表示部の下段に「３」「５」「７」が仮停止状態で表示されているときに、遊技者によって操作部８１になされた回転操作に従って飾り図柄を移動させ、「７」「５」「３」が上段に直線上に並ぶチャンス目を画面を表示させ、下段の飾り図柄の組み合わせを、遊技者による回転操作に応じて異なる有効ラインである上段に移動させ」ることは、チャンス目ではあるが、相違点２に係る本願補正発明の「図柄組合せの図柄群が待機位置に仮停止した後、前記仮停止を解除して前記図柄組合せの図柄群が有効ライン上まで移動」するのが、「任意操作部の操作に応じて」行われることに相当する。
　そして、引用発明１と引用発明２とは図柄が一旦停止（仮停止）後に有効ラインへ移動するパチンコ遊技機に係る発明である点で共通し、また、引用発明１の「当り図柄の組合せ」と引用発明２の「チャンス目」とは遊技者にその停止を期待させる図柄群である点で共通する。
　そうすると、引用発明１のｅの「前記表示用制御装置６０」が「全図柄の一旦停止時に有効ライン以外の」「状態から各図柄が一斉に再変動を開始し、そして、再変動の後、前記有効ライン以外の」「主図柄「７」が有効ライン」「上で揃った状態になって各図柄が停止し確定し、あたかも、有効ライン以外の」「主図柄「７」が有効ライン」「内に移動してくるように図柄が変動表示される」際に、遊技興趣を向上させるために、引用発明２を適用して、左右の回転操作を遊技者が任意に行うことが可能な回転操作部の操作に応じて、有効ライン以外のラインの図柄を有効ライン内に移動してくるように構成して、相違点１及び２に係る本願補正発明の構成とすることは当業者が容易になし得たものである。
（相違点３について）
　引用発明３の「下段の下側において一部が視認可能な中図柄および右図柄が１図柄分逆変動（下から上への変動）すると、下段において大当り図柄になるような飾り図柄の組み合わせである第１チャンス目枠外」は、「大当り図柄になるような飾り図柄の組み合わせ」が「仮停止表示」する「下段の横方向の有効ライン」からずれた待機位置が、下段の横方向の有効ラインまでの距離が０の左図柄と、下段の横方向の有効ラインまでの距離が１図柄分の中図柄および右図柄とで、下段の横方向の有効ラインまでの距離が一致しないものといえる。
　したがって、上記２（１）の本願補正発明の解釈を考慮すれば、引用発明３の「ｅ　有効ラインとして、上段の横方向のライン、中段の横方向のライン、下段の横方向のライン、左上から右下に向かう斜め方向のライン、および右上から左下に向かう斜め方向のラインの計５ラインを有し、下段の下側において一部が視認可能な中図柄および右図柄が１図柄分逆変動（下から上への変動）すると、下段において大当り図柄になるような飾り図柄の組み合わせである第１チャンス目枠外が仮停止表示された後に、演出表示装置９の表示画面において中右の飾り図柄が一挙に上がるような表示演出を行うことによって、大当り図柄を導出表示する」ことは、相違点３に係る本願補正発明の「Ｅ’前記当り図柄組合せの図柄群が」「仮停止」する「前記有効ラインからずれた待機位置」が、「前記有効ラインまでの距離が一致しない」ものに相当する。
　そして、引用発明１と引用発明３とは、有効ライン上でない仮想ライン上で一部が視認可能な状態で一旦停止（仮停止）した複数の図柄が、その後に有効ライン上へ移動するパチンコ遊技機に係る発明である点で共通する。
　また、引用発明１と引用発明３とは、図柄列の変動方向及び有効ラインが異なるが、引用文献１の段落【００９１】に記載されているように、図柄列の変動方向を横方向として有効ラインを縦３ラインと斜め２ラインとするか、図柄列の変動方向を上下方向として有効ラインを横３ラインと斜め２ラインとするかは、遊技機の趣向に合わせて当業者が適宜選択し得るものであって、例えば、前者と後者とで、上段ラインと左列、中段ラインと中列、下段ラインと右列、縦３ラインの有効ラインと横３ラインの有効ライン、斜め２ラインの有効ラインと斜め２ラインの有効ラインをそれぞれ対応させれば、容易に相互に変換可能であることは当業者にとって明らかである。
　そうすると、引用発明１において、遊技の興趣向上のため、「ｅ　全図柄の一旦停止時に有効ラインである縦右ラインＬ３よりも右側の主図柄の数字部分が視認できる有効ライン以外の仮想ラインＬＸ上に」すべて「同じ主図柄「７」が揃ってい」なくとも、「再変動の後」、「大当りの状態となる」ことがあるように、引用発明３を変動方向及び有効ラインを引用発明１に沿うように変換して適用することによって、有効ラインである縦右ラインＬ３よりも右側の主図柄の数字部分が視認できる有効ライン以外の仮想ラインＬＸの中段と下段で「７」図柄が１図柄分変動すると、有効ラインである縦右ラインＬ３において大当り図柄になるような図柄の組み合わせが仮停止表示された後に、有効ライン以外の仮想ラインＬＸの中段と下段の「７」図柄が有効ラインである縦右ラインＬ３に一挙に上がるような表示演出を行うことによって、大当りとすることに格別の困難性はなく、このようにして相違点３に係る本願補正発明とすることは当業者が容易になし得たものである。
  なお、仮に、上記２（１）の本願補正発明の解釈が肯定できず、相違点３に係る本願補正発明の相違点３に係る本願補正発明の「Ｅ’前記当り図柄組合せの図柄群が」「仮停止」する「前記有効ラインからずれた待機位置」が、「前記有効ラインまでの距離が一致しない」ものが、図２８に示されるように、３つの図柄の仮停止位置の何れもその後移動する有効ラインまでの距離が０より大きいものを意味すると解される場合に関して念のため検討するに、引用発明１は「有効ラインである縦右ラインＬ３よりも右側の有効ライン以外の仮想ラインＬＸで「７」図柄が揃っている状態から」「各図柄が」直近の有効ラインＬ３を超えて「有効ラインである縦中ラインＬ２上で揃った状態になって各図柄が停止し確定」するものであるから、引用発明３を適用した際に、有効ラインである縦右ラインＬ３ではなく、有効ラインである縦中ラインＬ２に移動して揃うように、すなわち、有効ラインである縦右ラインＬ３よりも右側の有効ライン以外の仮想ラインＬＸの中段と下段で「７」図柄が１図柄分変動すると、有効ラインである縦右ラインＬ３において大当り図柄になるような図柄の組み合わせが仮停止表示された後に、有効ライン以外の仮想ラインＬＸの中段と下段の「７」図柄及び有効ラインである縦右ラインＬ３の上段の「７」図柄のいずれもが有効ラインである縦中ラインＬ２に移動することによって、大当りとすることに格別の困難性はなく、そのようにして、相違点３に係る本願補正発明の構成とすることは当業者が容易になし得たものである。
　したがって、本願補正発明は、引用発明１、２及び３に基づいて、当業者が容易に発明をすることができたものであるから、特許法第２９条第２項の規定により、特許出願の際独立して特許を受けることができないものである。
（４）請求人の主張について
　請求人は、審判請求書において、
ア　本願補正発明は、当り図柄組合せの図柄群は、仮停止する待機位置で、有効ラインまでの距離が一致しないようにずらして配置される構成となっており、つまり、仮停止の際に直線上に並んでいなかった当り図柄組合せの図柄群（図２８（Ａ）参照）が、再始動して有効ライン上に直線状に並ぶ（図２８（Ｅ）参照）構成となっており、ここで、もし、仮停止のときに当り図柄組合せの図柄群が有効ラインに平行な直線上に並んでいれば、再始動して当り図柄組合せの図柄群がそのまま有効ラインに移動することを遊技者に容易に連想させることができ、従って、遊技者は、仮停止のときに再始動後は当りとなるという見通しを立てることができ、再始動して当りとなったときの喜びが薄れてしまうのに対して、本願補正発明の上記構成によれば、仮停止のときに当り図柄組合せの図柄群は直線上に並んでいないので、遊技者は再始動後に直線状となって有効ラインに並ぶことを予想できないため、再始動後に有効ラインに並んだときに遊技者に意外性を感じさせることができ、当りに対する高揚感を増大させることができること、 
イ　一方、引用文献１（特開２００４−１０５２９５号公報）の発明は、本願補正発明の上記構成についての記載や示唆はなく、段落［００７９］〜［００８２］、図１６，１７に示されているように、仮停止のときに当り図柄組合せの図柄群が有効ラインに平行な直線上に並ぶ構成となっているので、本願補正発明の上記構成による顕著な効果を発揮することができず、また、段落［００８３］、［００８６］には、仮停止のときに当り図柄組合せの図柄群が直線上に並ぶことで、遊技者に当りを予感させるとともに、当たるという安心感を与えることが記載されており、従って、本願補正発明に想到する起因ないし動機付けがないことは明らかであること、 
ウ　また、引用文献２（特開２００９-１３６３４２号公報）の発明についても、本願補正発明の上記構成についての記載や示唆はなく、段落［０４５５］には、「下段の飾り図柄の組み合わせを、有効ラインである上段に移動させる」との記載があり、仮停止のときに当り図柄組合せの図柄群が有効ラインに平行な直線上に並ぶ構成となっているので、本願補正発明の上記構成による顕著な効果を発揮することができず、従って、本願補正発明の上記構成は、引用文献１，２に記載も示唆もない独自の構成であり、従って、本願補正発明は、引用文献１，２に基づいて当業者が容易になし得るものではなく、十分な進歩性を有するものであること、
を主張する。
　しかしながら、上記（３）イで検討したとおり、引用発明１に引用発明３を適用して、有効ラインである縦右ラインＬ３よりも右側の有効ライン以外の仮想ラインＬＸの中段と下段で「７」図柄が１図柄分変動すると、有効ラインである縦右ラインＬ３において大当り図柄になるような図柄の組み合わせが仮停止表示された後に、有効ライン以外の仮想ラインＬＸの中段と下段の「７」図柄が有効ラインである縦右ラインＬ３に一挙に上がるような表示演出を行うことによって、大当りとすること、あるいは、引用発明１に引用発明３を適用して、有効ラインである縦右ラインＬ３よりも右側の有効ライン以外の仮想ラインＬＸの中段と下段で「７」図柄が１図柄分変動すると、有効ラインである縦右ラインＬ３において大当り図柄になるような図柄の組み合わせが仮停止表示された後に、有効ライン以外の仮想ラインＬＸの中段と下段の「７」図柄及び有効ラインである縦右ラインＬ３の上段の「７」図柄が有効ラインＬ２に移動する表示演出を行うことによって、大当りとすることに格別の困難性はなく、そのようにして、請求人が上記アで主張する本願補正発明の、当り図柄組合せの図柄群は、仮停止する待機位置で、有効ラインまでの距離が一致しないようにずらして配置される構成とすることは、当業者が容易になし得たものである。
　したがって、請求人の主張は採用することができない。
（５）本件補正についてのむすび　
　以上より、本件補正は、特許法第１７条の２第６項において準用する同法第１２６条第７項の規定に違反するので、同法第１５９条第１項において読み替えて準用する同法第５３条第１項の規定により却下すべきものである。
　よって、上記補正の却下の決定の結論のとおり決定する。
第３　本願発明について
１　本願発明　
　本件補正は、上記のとおり却下されたので、本願の請求項に係る発明は、平成２９年１０月１２日に提出された手続補正書により補正された特許請求の範囲の請求項１に記載された事項により特定されるものであるところ、その請求項１に係る発明（以下「本願発明」という。）は、前記第２［理由］１の（本件補正前）に記載のとおりのものである。
２　原査定の拒絶理由
　原査定の拒絶の理由は、
（進歩性）この出願の請求項１に係る発明は、その出願遡及日前に日本国内又は外国において、頒布された下記の刊行物に記載された発明又は電気通信回線を通じて公衆に利用可能となった発明に基づいて、その出願遡及日前にその発明の属する技術の分野における通常の知識を有する者が容易に発明をすることができたものであるから，特許法第２９条第２項の規定により特許を受けることができない、
　１．特開２００４−１０５２９５号公報（引用文献１）
　２．特開２００９−１３６３４２号公報（引用文献２）
というものである。
３　引用文献　
　原査定の拒絶の理由で引用された引用文献１及び２の記載事項は、前記第２［理由］２（２）に記載したとおりである。
４　対比・判断　
　本願発明は、前記第２の［理由］２で検討した本願補正発明から、「前記当り図柄組合せの図柄群」が「仮停止」する「待機位置」を「前記有効ラインまでの距離が一致しない」ものから「前記有効ラインからずれた待機位置」に上位概念化したものである。
　そして、本願発明と引用発明とを、前記第２［理由］２（３）アに記載したのと同様に対比すると、両者は相違点１及び２でのみ相違し、相違点３は生じない。
　そうすると、前記第２［理由］２（３）イ（相違点１及び２について）で記載したように、相違点１及び２に係る本願発明の構成は、引用発明１及び２に基づいて当業者が容易になし得たものであるから、本願発明は引用発明１及び２に基づいて当業者が容易に発明をすることができたものである。
第４　むすび
　以上のとおり、本願発明は、特許法第２９条第２項の規定により特許を受けることができないから、本願は拒絶されるべきものである。
　よって、結論のとおり審決する。